(57)【要約】      （修正有）【課題】長時間着席する乗り物のシートに、竹炭や天降石を埋め込んだ健康増進シートを提供する。【解決手段】自動車、航空機等に設置される搭乗者着席用のシート（座席）１であって、このシート１には、その着座部分３から起立する背もたれ部分２の略中央部に、顆粒状の竹炭を内蔵した基台マット４が埋め込み固定されている。基台マット４は、柔軟性のある素材からなり、正面視矩形状に形成され、２０〜３０ｍｍの厚さを有するものとされる。この上に、適宜直径１〜３ｍｍの大きさの粒子に粉砕された顆粒状の竹炭７をくるみ込んだ布製の細長い筒状袋体５を適数個、水平にして上下に平行に並べ、上下方向に３列押えミシン糸を縫い掛けて、基台マット４に固定する。このようにして得られた適数個の筒状袋体５を備える基台マット４を、座席シート１の背もたれ部分２の略中央部に設けられた凹部に埋め込むか、埋め込んで適所を縫い付けることにより、背もたれ部分２に固定する。【選択図】図２
0003157470.tif 000002
【実用新案登録請求の範囲】
【請求項１】
適宜広さの不織布の片面に、接着剤により、竹炭粉と天降石粉とを一様に塗り、このようにして得られた不織布を、それら竹炭粉と天降石粉とが塗られた面を裏面として、シートの背もたれ部分に縫い込み固定してなることを特徴とする健康増進シート。
【考案の詳細な説明】
【技術分野】
【０００１】
本願の考案は、健康増進シートに関し、特に竹炭や天降石等の健康増進効果を利用して、自動車、鉄道、船舶、航空機等に使用される乗り物用シートに顆粒状もしくは微粉状にした竹炭や天降石を内蔵せしめ、長時間着席による椎間板ヘルニア、ぎっくり腰等の腰痛の進行の緩和と回復等を図った健康増進シートに関する。
【背景技術】
【０００２】
自動車、鉄道、船舶、航空機等のシート（座席）への長時間着席は、多くの人が経験するとおり、忍耐を要する作業であり、特に人体の腰部への負担が大きく、椎間板ヘルニア、ぎっくり腰等の腰痛症状の生成や進行に結び付き易い。そこで、その解決のため、従来、リクライニングシート等の健康椅子や、症状緩和のための内服薬や外用薬の使用がなされているが、現代人は、依然として、この腰痛症状から解放されていないのが現状である。
【０００３】
ところで、竹炭には、マイナスイオン効果、遠赤外線効果、アルファー波誘引効果、脱臭、防湿、抗菌、殺菌等の効果があると古くから言い伝えられ、竹炭のこの作用を利用して、各種の健康増進、保健・衛生のための装置や設備が提案されている（特許文献１〜４）。また、ＳＧＥ石（“ＳＧＥ”は登録商標。“Super Growth Energy”の３つの頭文字を連ねたもの。）と呼ばれる九州の深山より採掘される天降石は、優れたマイナスイオン効果、遠赤外線効果、脱臭、殺菌等の効果を発揮し、特に、動植物の成長に必要なエネルギーを与える４〜１４μｍ域の遠赤外線（育成光線
growth ray）を多量に放射して、人間の細胞の賦活活性化に作用し、多くの病気の原因となる過酸化脂質形成反応を抑えることが実験により確認されている（非特許文献１）。
【先行技術文献】
【特許文献】
【０００４】
【特許文献１】特開２０００−１４０５６７号公報
【特許文献２】実開平６−６４７９６号公報
【特許文献３】特許第４２９１８１３号公報
【特許文献４】特開２００８−００６２３４号公報
【非特許文献】
【０００５】
【非特許文献１】日本炎症学会雑誌「炎症」、第１６巻、第６号、平成８年１１月、４２５〜４３６頁。
【０００６】
しかしながら、このような、人間の健康的で衛生的な生活を確保する上で著効が認められている竹炭や天降石を利用して、自動車、鉄道、船舶、航空機等の乗り物用のシートに長時間着席することの多い現代人の椎間板ヘルニア、ぎっくり腰等の腰痛の進行の緩和と回復を図ることができる健康増進シートについては、従来、ほとんど提案がなされていない。
【考案の開示】
【考案が解決しようとする課題】
【０００７】
本願の考案は、このような従来の問題点を解決して、竹炭や天降石を利用し、乗り物用のシートに長時間着席することによる椎間板ヘルニア、ぎっくり腰等の腰痛の進行の緩和と回復等を図ることができる健康増進シートを提供することを課題としている。
【課題を解決するための手段】
【０００８】
前記のような課題は、本願の実用新案登録請求の範囲の請求項に記載された次のような考案により解決される。
すなわち、その請求項１に記載された考案は、適宜広さの不織布の片面に、接着剤により、竹炭粉と天降石粉とを一様に塗り、このようにして得られた不織布を、それら竹炭粉と天降石粉とが塗られた面を裏面として、シートの背もたれ部分に縫い込み固定してなることを特徴とする健康増進シートである。
【０００９】
請求項１に記載された考案は、前記のように構成されているので、乗り物のシートに着席する者は、シートの背もたれ部分に縫い込み固定された不織布の片面に一様に塗られた天降石粉が本来備えているマイナスイオン効果、遠赤外線効果、脱臭、殺菌等の効果が、同じく不織布の片面に一様に塗られた竹炭粉が発揮するマイナスイオン効果や遠赤外線効果、アルファー波誘引効果を一層助長することにより、人体の血液循環を促進し、細胞を賦活活性化し、椎間板ヘルニア、ぎっくり腰等の腰痛の進行を緩和して、その回復を図り、また、気分をリフレッシュして、疲労を解消する。特に、脊髄（腸骨）、下部の脊椎の部分に遠赤外線効果（保温効果）があって、その部分が活性化され、短時間の間に症状が好転する。
さらに、竹炭が、脱臭、防湿、抗菌、殺菌効果を発揮して、シートを取り囲む空間を清浄化する、等々の効果を奏することができる。
【考案の効果】
【００１０】
本願の考案によれば、乗り物のシートに着席する者は、シートの背もたれ部分に縫い込み固定された不織布の片面に一様に塗られた竹炭粉と天降石粉とが、マイナスイオン効果、遠赤外線効果、アルファー波誘引効果、脱臭、殺菌等の効果を発揮することにより、人体の血液循環を促進し、細胞を賦活活性化し、椎間板ヘルニア、ぎっくり腰等の腰痛の進行を緩和して、その回復を図り、また、気分をリフレッシュして、疲労を解消する。特に、脊髄（腸骨）、下部の脊椎の部分に遠赤外線効果（保温効果）があって、その部分が活性化され、短時間の間に症状が好転する。
さらに、竹炭が、脱臭、防湿、抗菌、殺菌効果を発揮して、シートを取り囲む空間を清浄化する、等々の効果を奏することができる。
【考案を実施するための形態】
【００１１】
（実施例１）
以下、本願の考案の健康増進シートの好適な実施例（実施例１）を、図面を参照しつつ、詳細に説明する。
実施例１に係るシートは、図１〜図３に示されるように、自動車、鉄道、船舶、航空機等に設置される搭乗者着席用のシート（座席）１であって、このシート１には、その着座部分３から起立する背もたれ部分２の略中央部に、以下に述べるような、顆粒状の竹炭を内蔵した基台マット４が埋め込み固定されている。
【００１２】
基台マット４は、柔軟性のある素材からなり、正面視矩形状に形成され、２０〜３０ｍｍの厚さを有するものとされる。この上に、用途により適宜直径１〜３ｍｍの大きさの粒子に粉砕された顆粒状の竹炭７をくるみ込んだ布製の細長い筒状袋体５を適数個、水平にして上下に平行に並べ、上下方向に３列押えミシン糸６、６を縫い掛けて、基台マット４に固定する。このようにして得られた適数個の筒状袋体５を備える基台マット４を、座席シート１の背もたれ部分２の略中央部に設けられた凹部に埋め込むか、埋め込んで適所を縫い付けることにより、背もたれ部分２に固定する。
【００１３】
基台マット４は、人体学状、合理性のある一定の高さと一定の幅とを計算されたもので、許容範囲にある十分な広さを有し、シート１の背もたれ部分２に、人体の骨格の重要部分である５本の脊椎から構成される脊柱の腸骨を中心にした範囲をカバーする領域を設定し、そこに凹部を形成して、その凹部に、前記のようにして基台マット４を埋め込んで固定する。本実施例の場合、基台マット４の高さは３５０ｍｍ、幅は２８０ｍｍとされており、そこに、直径２０〜３０ｍｍ、長さ２８０ｍｍの筒状袋体５が１１個、水平状態にして上下に平行に並べられて、縫い掛け固定されている。なお、これら複数個の筒状袋体５の固定の方向は、水平状態にして上下に平行に並べられるほか、垂直状態にして左右に平行に並べられるのであっても良い。
【００１４】
実施例１は、前記のように構成されているので、シート１に着席する搭乗者は、シート１の背もたれ部分２に埋め込み固定された基台マット４に縫い付けて固定された複数個の筒状袋体５の各々にくるみ込まれている顆粒状の竹炭７が、マイナスイオン効果や遠赤外線効果（保温効果）、アルファー波誘引効果を発揮して、人体の血液循環を促進し、細胞を賦活活性化し、椎間板ヘルニア、ぎっくり腰等の腰痛の進行を緩和して、その回復を図り、また、気分をリフレッシュして、疲労を解消することができる。さらに、竹炭７が、脱臭、防湿、抗菌、殺菌効果を発揮して、シート１を取り囲む空間を清浄化する、等々の効果を奏することができる。
【００１５】
（実施例２）
次に、本願の考案の第２の実施例（実施例２）について説明する。
この実施例２では、前記した顆粒状の竹炭７に、微粉状の天降石を極微量混ぜ合わせる。その量は、重量比で天降石１：竹炭１０００の割合とするのが良い。このようにすると、天降石が本来備えているマイナスイオン効果、遠赤外線効果、脱臭、殺菌等の効果が、竹炭７が持っている前記のような効果を一層促進する。特に、脊髄（腸骨）、下部の脊椎にアルファー波の影響と保温効果とがあって、その部分が活性化され、短時間の間に症状が好転する。
【００１６】
（実施例３）
次に、本願の考案の第３の実施例（実施例３）について説明する。
この実施例３では、特に図示されてはいないが、適宜広さの不織布の片面に、接着剤により、竹炭粉と天降石粉とを一様に塗り、このようにして得られた不織布を、竹炭粉と天降石粉とが塗られた面を裏側にして、シート１の背もたれ部分２に縫い込んで固定する。このようにしても、前記した、実施例２が奏する効果と同様の効果が得られる。
【００１７】
（実施例４）
次に、本願の考案の第４の実施例（実施例４）について説明する。
この実施例４では、実施例２の竹炭７が、椰子の果皮を顆粒状にして得られる椰子ガラ活性炭に代えられている。このようにしても、竹炭７と同様の効果を発揮する椰子ガラ活性炭と天降石との混合使用により、前記した、実施例２が奏する効果と同様の効果が得られる。
【００１８】
なお、本願の考案は、前記実施例に限定されるものではなく、その要旨を逸脱しない範囲で、種々のものが想定されることは言うまでもない。
【図面の簡単な説明】
【００１９】
【図１】本願の考案の実施例（実施例１）に係るシートの概略正面図である。
【図２】図１のＡ−Ａ線断面図である。
【図３】同座席シートの背もたれ部の要部斜視図である。
【符号の説明】
【００２０】
１…シート（座席）、２…背もたれ部分、３…着座部分、４…基台マット、５…筒状袋体、６…押えミシン糸、７…竹炭。
【図１】
0003157470.tif 000003
【図２】
0003157470.tif 000004
【図３】
0003157470.tif 000005